(57)【特許請求の範囲】
【請求項１】
床面に自立する什器を構成する左右方向に延びる断面視角形状の横桟部材に固定されるブラケット部材と、該ブラケット部材に対して支持される物品載置部材と、を備えた物品支持装置であって、
前記ブラケット部材は、前記横桟部材の上方側から跨嵌する形状の係合部と、前記横桟部材に跨嵌した前記係合部の上方位置で該横桟部材の前後方向に亘って延び前記物品載置部材が支持される支持部と、を備えており、前記物品載置部材は、前記ブラケット部材の前記係合部を基準として前後で、前記ブラケット部材の前記支持部に直接固定され、
前記ブラケット部材は、前記支持部の左右両縁から下方側に延び、前記横桟部材の上方側から跨嵌する形状の切欠部がそれぞれ設けられた左右一対の延設片部を有しており、
前記ブラケット部材と前記横桟部材との間には、前記一対の切欠部に沿う形状の面を有するスペーサ部材が介設されており、
前記ブラケット部材には、前記横桟部材の下方側から跨嵌して当接する形状の取付部材が当該ブラケット部材の前記支持部に直接固定されていることを特徴としている。
【請求項２】
前記スペーサ部材は、左右方向に延び前記一対の延設片部間に配置される突出部を有していることを特徴とする請求項１に記載の物品支持装置。
【請求項３】
前記切欠部に沿う形状を成すスペーサ部材の前後片は、前後方向に弾性変形可能であり、組み付け前の自然状態において下方側に向けて漸次拡開するようになっていることを特徴とする請求項１または２に記載の物品支持装置。
【発明の詳細な説明】
【技術分野】
【０００１】
本発明は、作業台や商品陳列棚等の什器を構成する横桟部材に取付けられる物品支持装置に関する。
【背景技術】
【０００２】
工場や配送センター・販売店等では、用途に応じて作業台や商品陳列棚等の什器が使用されており、このような什器として、床面から立設する左右の支柱と、該支柱同士の上下の両端部同士を左右方向に連結して補強する断面視矩形状の横桟部材と、左右の支柱の前面にブラケットにより取付けられる棚板と、を備えたものがある。またこのような什器は、左右の支柱にブラケット部材を付加的に取付け、そのブラケット部材に載置板等の物品載置部材を固定支持することで、物品を載置できるスペースを追加できるようになっている。
【０００３】
しかし上記のような態様で物品を載置できるスペースを追加する場合には、ブラケット部材が左右の支柱に固定されることから、什器に対する物品載置部材の取付位置が限定されていたため、什器に対する物品載置部材の取付位置を自由に変更できるようにしたいという要望があった。
【０００４】
そこで、什器に対する物品載置部材の取付位置が限定されないようなものとして特許文献１のような物品支持装置が開発されている。この物品支持装置は、棚板（物品載置部材）を固定支持する水平受片（支持部）と、水平受片の後端上部に設けられ横桟部材を上方から遊嵌する断面視下向きコ字形状の下向係合片（係合部）と、を有した棚受ブラケット（ブラケット部材）を備えており、棚受ブラケットは、下向係合片で横桟部材に対して片持ち状態で支持されているため、棚板は棚受ブラケットを介して横桟部材の左右方向の任意の取付位置に設置することができるようになっている。
【先行技術文献】
【特許文献】
【０００５】
【特許文献１】特許第４６１６５０８号公報（第４頁、第２図）
【発明の概要】
【発明が解決しようとする課題】
【０００６】
しかしながら、特許文献１の物品支持装置にあっては、棚板が棚受ブラケットを介して横桟部材の前方側に延びて片持ち状態で支持されており、棚板上の物品の重量が棚板に対して下向きに作用する構造であるため、棚受ブラケットに撓みが生じて物品を安定的に支持することができない虞があった。
【０００７】
本発明は、このような問題点に着目してなされたもので、物品を安定して支持することができる物品支持装置を提供することを目的とする。
【課題を解決するための手段】
【０００８】
前記課題を解決するために、本発明の物品支持装置は、
床面に自立する什器を構成する左右方向に延びる断面視角形状の横桟部材に固定されるブラケット部材と、該ブラケット部材に対して支持される物品載置部材と、を備えた物品支持装置であって、
前記ブラケット部材は、前記横桟部材の上方側から跨嵌する形状の係合部と、前記横桟部材に跨嵌した前記係合部の上方位置で該横桟部材の前後方向に亘って延び前記物品載置部材が支持される支持部と、を備えており、前記物品載置部材は、前記ブラケット部材の前記係合部を基準として前後で、前記ブラケット部材の前記支持部に直接固定され、
前記ブラケット部材は、前記支持部の左右両縁から下方側に延び、前記横桟部材の上方側から跨嵌する形状の切欠部がそれぞれ設けられた左右一対の延設片部を有しており、
前記ブラケット部材と前記横桟部材との間には、前記一対の切欠部に沿う形状の面を有するスペーサ部材が介設されており、
前記ブラケット部材には、前記横桟部材の下方側から跨嵌して当接する形状の取付部材が当該ブラケット部材の前記支持部に直接固定されていることを特徴としている。
この特徴によれば、横桟部材の上方位置で前後方向に亘って延びた支持部の上面に物品載置部材が載置されており物品の荷重を支持部を介して直接横桟部材が受けることができ、且つ物品が横桟部材よりも前方又は後方に偏って載置された場合にも横桟部材の上方側から跨嵌する形状を成す係合部が横桟部材の前後面に当接してブラケット部材の横桟部材周りの回動を防止できるため、物品を安定して支持することができる。
【００１２】
前記スペーサ部材は、左右方向に延び前記一対の延設片部間に配置される突出部を有していることを特徴としている。
この特徴によれば、スペーサ部材の突出部が、左右一対の延設片部間に配置されるように取付けることにより、スペーサ部材を一対の切欠部内に保持できる。
【００１３】
前記切欠部に沿う形状を成すスペーサ部材の前後片は、前後方向に弾性変形可能であり、組み付け前の自然状態において下方側に向けて漸次拡開するようになっていることを特徴としている。
この特徴によれば、スペーサ部材がブラケット部材の一対の切欠部内に嵌合した状態にあっては、スペーサ部材の前後片がその弾性復元力によって一対の切欠部の前後縁に圧接するため、ブラケット部材の一対の切欠部内からスペーサ部材が離脱し難くなっている。
【図面の簡単な説明】
【００１４】
【図１】物品支持装置が取付けられた什器を示す斜視図である。
【図２】物品支持装置の構造を示す分解斜視図である。
【図３】（ａ）は、スペーサ部材の正面図であり、（ｂ）は、（ａ）のＡ−Ａ正面断面図である。
【図４】（ａ）は、連結部材に物品支持装置の上方側が取付けられた構造を示す正面図であり、（ｂ）は、（ａ）のＢ−Ｂ正面断面図である。
【図５】図４の状態から取付金具を取り付けた状態を示す下方斜視図である。
【発明を実施するための形態】
【００１５】
本発明に係る物品支持装置を実施するための形態を実施例に基づいて以下に説明する。
【実施例】
【００１６】
実施例に係る物品支持装置につき、図１から図５を参照して説明する。以下、図４（ａ）の画面正面側を物品支持装置の正面側（前方側）とし、物品支持装置を正面側から見て左右側を物品支持装置の左右側として説明する。
【００１７】
図１に示されるように、工場や配送センター・販売店等には、物品の梱包作業等を行う作業台としての什器２が配置されており、物品支持装置１は、什器２の連結部材９（横桟部材）に対して取付けることで、什器２に対して物品を載置できるスペースを追加するものである。
【００１８】
図１に示されるように、什器２は、左右に離間する支柱３，３’と、支柱３，３’の前後面にブラケット５，５，…を介して水平に支持する天板４，４と、支柱３，３’の上端部同士を連結するように左右方向に延びる角管状の連結部材９と、支柱３，３’の下端部同士を連結する正面視矩形状の枠体７と、を備えている。この什器２は、天板４，４上で物品の梱包作業等を行えるようになっている。
【００１９】
支柱３，３’は、各下端部に前後に張り出す脚部材８，８を備えており、支柱３，３’が安定的に自立するようになっている。また、支柱３，３’は、連結部材９及び枠体７により支柱３，３’同士のぐらつきが補強されている。
【００２０】
また、支柱３，３’の前後面には、左右２列の係止孔３ａ，３ａが上下方向に複数設けられ、この係止孔３ａ，３ａ，…にブラケット５，５，…のフックを係止可能となっている。前方側の天板４は、右側の支柱３における左側の係止孔３ａに係止されたブラケット５と、左側の支柱３’における右側の係止孔３ａに係止されたブラケット５と、に渡って取付けられている（片側の図示）。また、後方側の天板４も同様に、右側の支柱３における正面視左側の係止孔３ａに係止されたブラケット５と、左側の支柱３’における正面視右側の係止孔３ａに係止されたブラケット５と、に渡って取付けられている。そのため、支柱３，３’の使用されていない側の係止孔３ａ，３ａ，…を利用して別のブラケットを取付けるとともに、什器２外に新たに支柱を配置し、該支柱に別のブラケットを取付けることにより、前記天板４と同一の高さで別の天板を左右方向に増設することができるようになっている（図示略）。また、前後の天板４，４の間には、天板４，４の隙間を塞ぐ閉塞部材６が取付けられており、天板４，４の隙間から物品が落下することが防止されている。
【００２１】
図２に示されるように、物品支持装置１は、左右方向に延びる連結部材９に対して取付けられる支持機構１０，１０と、支持機構１０，１０の上部に固定支持される平板状に形成された載置板１１（物品載置部材）と、から主に構成されている。尚、この物品載置部材は、平板状の載置板１１に限られず、物品を載置可能な面を有する箱状のラック等であってもよい。
【００２２】
支持機構１０，１０は、載置板１１を支持する左右一対のブラケット部材１２，１２と、連結部材９を下方側から跨嵌する取付金具１３，１３（取付部材）と、ブラケット部材１２，１２と連結部材９との間に介設されるスペーサ部材１４，１４と、ブラケット部材１２，１２及び取付金具１３，１３を固定するためのボルト１５，１５，…と、から主に構成されている。尚、支持機構１０，１０同士は同一構成、且つ同一形状であるため、以下、片側の支持機構１０の構成のみについて説明する。
【００２３】
図２に示されるように、支持機構１０を構成するブラケット部材１２は、鋼板等の薄板を折り曲げて形成されており、前後方向に延設された載置板１１を支持するための支持部１２ａと、支持部１２ａの前後両端部から上方側に延びるように折り曲げられた屈曲部１２ｂ，１２ｂと、支持部１２ａの左右両縁から下方側に延びるように折り曲げられた左右一対の延設片部１２ｃ，１２ｃと、を有している。このようにブラケット部材１２は、薄い金属板を折り曲げ加工することにより形成されているため、軽量化できるとともに、製造コストを抑えることができる。
【００２４】
延設片部１２ｃ，１２ｃの前後略中央には、連結部材９を跨嵌可能な大きさに切り欠かれたコ字形状の切欠部１６，１６が形成されており、この左右一対の切欠部１６，１６によって、連結部材９を上方側から跨嵌する係合部１７が形成されている。この切欠部１６，１６は、延設片部１２ｃ，１２ｃの上端側を残して切り欠かれているため、延設片部１２ｃ，１２ｃが支持部１２ａのリブとして機能してブラケット部材１２の曲げ強度が保たれている。
【００２５】
また、ブラケット部材１２の支持部１２ａには、ブラケット部材１２と取付金具１３とを接合するための孔１８，１８と、載置板１１にブラケット部材１２を取付けるための貫通孔１９，１９と、が設けられており、載置板１１には、各孔１８，１８，…及び各貫通孔１９，１９，…とそれぞれ対応する位置にネジ孔２０，２０，…が形成されている。
【００２６】
取付金具１３は、鋼板等の薄板から形成されており、連結部材９の下面に配される底片部１３ａと、底片部１３ａの前後両端からそれぞれ立ち上がるよう折り曲げられて形成される垂直片部１３ｂ，１３ｂと、垂直片部１３ｂ，１３ｂのそれぞれ端部を前後方向に向けて水平に折り曲げられる水平片部１３ｃ，１３ｃと、から構成されている。この水平片部１３ｃ，１３ｃには、ブラケット部材１２の支持部１２ａに形成される孔１８，１８と連通する連通孔２１，２１が設けられている。
【００２７】
図２及び図３に示されるように、スペーサ部材１４は、下方側に開放するコ字形状となるように鋼板等の薄板が折り曲げ加工されており、連結部材９の上面に配される上片部１４ａと、上片部１４ａの前後両縁から下方側に延びる前後片部１４ｂ，１４ｂと、を有している。また、前後片部１４ｂ，１４ｂは、各下端側が前後方向に弾性変形することが可能となっている。このスペーサ部材１４は、後述するようにブラケット部材１２の左右の切欠部１６，１６に渡って内嵌されるようになっている。
【００２８】
また、図３（ｂ）に示されるように、スペーサ部材１４のブラケット部材１２への組み付け前の自然状態における前後片部１４ｂ，１４ｂは、下端側の前後幅Ｗ２が上端側の前後幅Ｗ１よりも幅広となっており、すなわち、前後片部１４ｂ，１４ｂは、自然状態において下方側に向けて漸次拡開するようになっている。
【００２９】
また、図４に示されるように、スペーサ部材１４は、その左右幅Ｘ１がブラケット部材１２における支持部１２ａの左右幅Ｙ１よりも大きく形成されていることにより、左右に離間する切欠部１６，１６に渡ってスペーサ部材１４を嵌合させることができるようになっている。
【００３０】
また、スペーサ部材１４は、前後片部１４ｂ，１４ｂの下端から外側上方向に折り返して延びる折り返し片部１４ｃ，１４ｃ（突出部）を備えている。この折り返し片部１４ｃ，１４ｃの左右幅Ｘ２は、ブラケット部材１２の延設片部１２ｃ，１２ｃの離間幅Ｙ２よりも若干小さく形成されているため、延設片部１２ｃ，１２ｃの間に配置することが可能となっている。尚、突出部は、折り返し片部１４ｃ，１４ｃに限られず、例えば、前後片部１４ｂ，１４ｂをプレス加工することにより、外側に突出して形成される凸部等であってもよい。
【００３１】
次に、物品支持装置１を什器２に取付ける態様について説明する。図２に示されるように、先ず、ブラケット部材１２，１２を、その屈曲部１２ｂ，１２ｂ，…が、載置板１１の下面に左右方向に延びて設けられた係止面１１ａ，１１ａ（図５参照）に係止されるように配置して載置板１１とブラケット部材１２，１２とを前後方向に位置決めする。そして、載置板１１のネジ孔２０，２０，…と、ブラケット部材１２，１２の貫通孔１９，１９，…と、を重ね合わせ、固定ボルト２２，２２，…により緊締することにより、載置板１１にブラケット部材１２，１２を固定する。これにより、ブラケット部材１２，１２の孔１８，１８，…と載置板１１のネジ孔２０，２０，…とが対応して位置合わせされる。
【００３２】
次いで、スペーサ部材１４，１４をその折り返し片部１４ｃ，１４ｃがブラケット部材１２の延設片部１２ｃ，１２ｃ間に折り返し片部１４ｃ，１４ｃが配置されるように切欠部１６，１６，…に嵌め込む。スペーサ部材１４，１４の上端側からブラケット部材１２の切欠部１６，１６，…に挿入していくと、前後片部１４ｂ，１４ｂの下端側が切欠部１６，１６，…の内側面との摺接により互いに近づくように弾性変形するようになり、スペーサ部材１４を切欠部１６，１６内に嵌合させた状態において、前後片部１４ｂ，１４ｂの下端側がその弾性復元力により切欠部１６，１６の内側面に圧接するようになっているため、スペーサ部材１４が切欠部１６，１６から落下しないようになっている（図４（ｂ）参照）。
【００３３】
また、各ブラケット部材１２の延設片部１２ｃ，１２ｃ間に折り返し片部１４ｃ，１４ｃが配置されるようにスペーサ部材１４を取付けることにより、スペーサ部材１４が切欠部１６，１６内に嵌合した状態を保持できる。
【００３４】
続いて、図４に示されるように、ユニット化された載置板１１、ブラケット部材１２，１２、及びスペーサ部材１４，１４を、什器２の連結部材９における左右方向の任意の位置に上方側から取付ける。このときには、連結部材９の上方位置で前後方向に亘って延びる支持部１２ａ，１２ａの上に載置板１１が支持されているため、連結部材９の前後一方側に載置板１１上の物品の重量を偏らせることなく、連結部材９の上面側にバランス良く預けながら載置スペースを広く確保することができる。更に、例え連結部材９の前方又は後方に偏って載置板１１上に物品が載置されたとしても、切欠部１６，１６，…とスペーサ部材１４，１４とが連結部材９の上方側から跨嵌しており、切欠部１６，１６，…の前後縁が、スペーサ部材１４，１４の前後片部１４ｂ，１４ｂ，…を介して連結部材９の前後面に当接するため、ブラケット部材１２，１２が連結部材９の周囲に回動することを防止できる。したがって、物品を安定して支持することが可能となる。
【００３５】
また、ユニット化された載置板１１、ブラケット部材１２，１２、及びスペーサ部材１４，１４が、連結部材９に取付けられた際には、各ブラケット部材１２，１２の切欠部１６，１６，…が左右に離間した位置でスペーサ部材１４，１４をそれぞれ介して連結部材９に跨嵌するため、ブラケット部材１２，１２が連結部材９の周囲に回動することを確実に防止できる。
【００３６】
また、スペーサ部材１４，１４が、ブラケット部材１２，１２の切欠部１６，１６，…と連結部材９との間に介在することとなるため、切欠部１６，１６からの力が連結部材９に直接作用することなく、この力は、スペーサ部材１４，１４により分散され、切欠部１６，１６が連結部材９の外周面に局所的に食い込んで損傷することを防止できる。
【００３７】
次に、図５に示されるように、連結部材９を下方側から跨ぐように取付金具１３，１３を取付ける。このとき、取付金具１３，１３は、各水平片部１３ｃ，１３ｃ，…がブラケット部材１２，１２の各延設片部１２ｃ，１２ｃ，…間に配置されるようになっている。
【００３８】
そして、各水平片部１３ｃ，１３ｃの連通孔２１，２１，…と、それらに対応する各ブラケット部材１２，１２の孔１８，１８，…、及び載置板１１のネジ孔２０，２０，…と、にボルト１５，１５，…を挿入し緊締することにより物品支持装置１の什器２への取付けが完了する。これによれば、切欠部１６，１６，…及びスペーサ部材１４，１４と取付金具１３，１３とが連結部材９の全周を上下から跨嵌した状態で、ブラケット部材１２，１２が連結部材９に固定されるため、ブラケット部材１２，１２が連結部材９の周囲に回動することを確実に防止できるとともに、連結部材９にブラケット部材１２，１２を取付けるための特殊な加工を施す必要が無い。また、ブラケット部材１２，１２と取付金具１３，１３とが固定連結されるため、地震等の外力によってブラケット部材１２，１２が上方に移動しても取付金具１３の底片部１３ａと連結部材９の下端が当接して連結部材９から離脱することを防止できる。
【００３９】
尚、前記実施例では、載置板１１がブラケット部材１２，１２の支持部１２ａ，１２ａに対して固定ボルト２２，２２，…で固定される態様について説明したが、支持部１２ａ，１２ａに対して載置板１１を溶接等で固着させてもよい。また、載置板１１と支持部１２ａ，１２ａとは固定されるものに限られず、例えば、載置板１１に係止溝を形成し、その係止溝にブラケット部材１２，１２の屈曲部１２ｂ，１２ｂ，…を挿入することで支持するようにしてもよい。
【００４０】
また、取付金具１３，１３の代わりに、横桟部材にネジ孔等を設け、ブラケット部材１２，１２をボルト等の固定手段により前記横桟部材に固定してもよいが、製造コストの観点から上記実施例のように取付金具１３，１３を用いて固定する態様の方が好ましい。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、載置板１１を２つのブラケット部材１２，１２で支持していたが、物品載置部材の大きさや重さによって用いるブラケット部材１２の数を変更してもよい。また、連結部材９は、断面視矩形状を成す態様について説明したが、これに限られず、断面視が矩形以上（例えば五角形等）の多角形であってもよいし、中実の柱でも、下方が開放した断面視コ字状でもよく、要するに前後方向に平面部を有すればよい。例えば、円管の前後方向をプレスにより平坦な平面部を形成したものでもよい。尚、連結部材９は、支柱３，３’の上端のみに限られず、上下に離間して複数設けられてもよく、この複数の連結部材を選択して、物品支持装置１を取付けるようにしてもよい。
【００４３】
また、スペーサ部材１４は、左右一対の切欠部１６，１６に渡って内嵌されるようになっているが、これに限られず、切欠部１６，１６の形状に沿って形成され、その上縁及び前後縁よりも左右に延びる面を有するスペーサ部材を、左右の切欠部１６，１６にそれぞれ内嵌させてもよい。
【符号の説明】
【００４４】
１                物品支持装置
２                什器
３，３’          支柱
９                連結部材（横桟部材）
１０              支持機構
１１              載置板（物品載置部材）
１２              ブラケット部材
１２ａ            支持部
１２ｃ            延設片部
１３              取付金具（取付部材）
１４              スペーサ部材
１４ｂ            前後片部
１４ｃ            折り返し片部（突出部）
１５，１５，      ボルト
１６              切欠部
１７              係合部
Ｗ１              スペーサ部材上端側の前後幅
Ｗ２              スペーサ部材下端側の前後幅
Ｘ１              スペーサ部材の左右幅
Ｘ２              折り返し片部の左右幅
Ｙ１              支持部の左右幅
Ｙ２              延設片部同士の離間幅
【図１】
0006593994.tif 000002
【図２】
0006593994.tif 000003
【図３】
0006593994.tif 000004
【図４】
0006593994.tif 000005
【図５】
0006593994.tif 000006